(57)【要約】      （修正有）【課題】布やフェルトその他の柔らかい素材を外側面に設けたバッグでありながら、立体的な形状を保つことができる、軽量かつ丈夫なバッグを提供する。【解決手段】上面が開口し且つ外側面に布その他のシート状物を設けたバッグ本体と、前記バッグ本体の隣接する少なくとも３つの面に内設されたＥＶＡ樹脂からなる芯材と、前記バッグ本体の内側面に設けられた裏地と、を有することを特徴とするバッグ１００を提供することによって、軽量でありながら床に載置した際も立体形状を保てる丈夫なバッグを提供する。【選択図】図１
0003209745.tif 000002
【実用新案登録請求の範囲】
【請求項１】
外側面に布その他のシート状物を設けたバッグ本体と、
前記バッグ本体の隣接する少なくとも３つの面に内設されたＥＶＡ樹脂からなる芯材と、
前記バッグ本体の内側面に設けられた裏地と、を有することを特徴とするバッグ。
【請求項２】
上面を解放可能とし且つ外側面に布その他のシート状物を設けたバッグ本体と、
前記バッグ本体の隣接する少なくとも３つの面に内設されたＥＶＡ樹脂からなる芯材と、
前記バッグ本体の内側面に設けられた裏地と、を有することを特徴とするバッグ。
【考案の詳細な説明】
【技術分野】
【０００１】
この考案は、布やフェルトその他の柔らかい素材を外側面に設けたバッグでありながら、立体的な形状を保つことができる、軽量かつ丈夫なバッグに関する。
【背景技術】
【０００２】
帆布やフェルト生地で作られたバッグは、布地の柔らかな質感を楽しめ、多彩な色彩や模様から選択できることから、デザイン性に優れており、広く使用されている。
【０００３】
これらバッグに使用される布地は、薄手のものでは、耐荷性及び耐久性に問題が生ずること、また、床面に置いた際、立体形状を保てず、倒れてしまうことから、ある程度、厚手の布地、たとえば帆布や厚手のフェルトが選択されることが多い。薄手の布地をバッグに使用する場合は、裏地とあわせて二重にしたうえで縫製して、手に持ったときや床面に置いたときに、立体形状を保てるようにする。しかしながら、厚手の布地を選択したり、布地を二重にして縫製すると、素材重量が重くなり、携帯性に問題が出る。また、厚手の布地を採用したとしても、使用期間が長くなるにつれ、布地に張りがなくなってくることは避けられない。長期間使用した布製バッグは、床面に置いた際に、自立して置けず、倒れてしまう。
【０００４】
これら問題を解決するため、鞄内部に入れる中箱や、鞄内部に骨組みを入れることが考案されている。特許文献１は、布やナイロンで作られた鞄の中に入れて、鞄の型崩れを防ぎ、床に置いたときも自立して立体形状を保てるようにする鞄用中箱であり、特許文献２は、バッグの内側にアーチ状の中骨を入れて、バッグが自立した立体形状を保てるようにしたものである。
【０００５】
鞄用中箱を使用したり、鞄内部に骨組みを入れれば、鞄は立体形状を保ち、自立した形状とすることができる。しかし、中箱や、内部に骨組みを組み込むと、外観がゴツゴツした形状になり、バッグ本体の、流れるような曲線や、柔らかな布地の風合いを損ねてしまう。また、中箱や骨組みの重量で、鞄自体が重くなってしまったり、製造素材コストが高くなるという問題もある。
【特許文献１】特開２０１３―０３９２６６
【特許文献２】特開２０１５−１１２２３６
【考案の概要】
【考案が解決しようとする課題】
【０００６】
そこで、本考案は、ＥＶＡ樹脂からなるシートを内側に貼り付けた布地でバッグを作成することで、布地のもつ、柔らかな風合いとシルエットを保ちつつ、床面に置いた際も、立体形状を保つことができる、軽量かつ丈なバッグを提供する。
【課題を解決するための手段】
【０００７】
本考案のバッグは、外側面に布その他のシート状物を設けたバッグ本体と、前記バッグ本体の隣接する少なくとも３つの面に内設されたＥＶＡ樹脂からなる芯材と、前記バッグ本体の内側面に設けられた裏地と、を有することを特徴とする。
【０００８】
この考案によれば、布その他のシート状物が外側面に設けられ、かつ、ＥＶＡ樹脂からなるシートが芯材として内設されていることで、布その他の柔らかい素材の質感を持ち、同時に、立体形状を保持して丈夫なバッグを提供することができる。
【０００９】
また、本考案のバッグは、上面を開放可能とし、外側面に布その他のシート状物を設けたバッグ本体と、前記バッグ本体の隣接する少なくとも３つの面に内設されたＥＶＡ樹脂からなる芯材と、前記バッグ本体の内側面に設けられた裏地と、を有することを特徴とする。
【００１０】
この考案によれば、本体の上面が開閉可能に設けられているので、本体上面部を開けて、収納物を出し入れすることができる。収納物を不自然につぶしたり、圧迫させることなく、十分に確保された内部空間に収納することができる。
【図面の簡単な説明】
【００１１】
【図１】この考案の実施の形態１にかかるバッグ１００の斜視図である。
【図２】（ａ）は、図１に示したバッグ１００の右側面図であって、（ｂ）は、図１に示したバッグ１００の底面図である。
【図３】図１に示したバッグ１００の正面図である。
【図４】図３に示したバッグ１００のＡ−Ａ断面図である。
【図５】図４に示したバッグ１００のＢ部拡大図である。
【図６】図１に示したバッグ１００の使用状態を説明するための参考斜視図である。
【図７】この考案の実施の形態２にかかるバッグ２００の斜視図である。
【図８】図７に示したバッグ２００の使用方法を説明するための参考斜視図である。
【図９】図７に示したバッグ２００の正面図である。
【図１０】（ａ）は、図９に示したバッグ２００のＣ−Ｃ断面図であって、（ｂ）は本体上面部を空けた場合の参考断面図である。
【考案を実施するための形態】
【００１２】
以下、本考案を実施するための最良の形態について、実施の形態毎に詳細に説明する。
【００１３】
（実施の形態１）
図１は、この考案の実施の形態１にかかるバッグ１００の斜視図である。図２（ａ）は、図１に示したバッグ１００の右側面図であって、（ｂ）は、図１に示したバッグ１００の底面図である。図３は、図１に示したバッグ１００の正面図である図４は、図３に示したバッグ１００のＡ−Ａ断面図である。図５は、図４に示したバッグ１００のＢ部拡大図である。図６は、図１に示したバッグ１００の使用状態を説明するための参考斜視図である。
【００１４】
図１に示すように、本考案のバッグ１００は、上部に開口を有するマチ付きの袋状物であって、略長方形状の本体正面部１、前記本体正面部１と対向する側に設けられた本体背面部２、両側面にそれぞれ設けられた本体側面部３、底面に設けられた本体底面部４及び本体正面部１に設けられた持ち手６を、主に有する。
【００１５】
本体正面部１、本体背面部２、本体側面部３及び本体底面部４は、帆布やフェルト生地等の布素材、またはナイロン素材等からなり、一体的またはそれぞれの面を縫合して全体として上部に開口を有する袋状物となっている。本体を構成する素材は、薄手のものから厚手のものまで、任意の厚みの生地を採用することができる。本考案のバッグ１００は、ＥＶＡ樹脂からなるＥＶＡ樹脂シート７を芯材として裏打ちするため、薄手の生地で本体を作成しても、立体形状を保つことができる。バッグ１００の外側面には、布地やナイロン生地のほか、麦わらシート素材やイ草を編んで作成されたシート物を用いてもよい。本体正面部１には、ブランドを示すタグ１１等が取り付けられている。タグ１１は、省略してもよい。タグ１１以外に、なんらかデザインポイントとなるものを本体正面部１に配置してもよい。
【００１６】
バッグ１００は、マチ付きの鞄となっており、両側面には、本体側面部３が設けられている。また、本体正面部１の上方には、持ち手６が取り付けられている。持ち手６は、本実施の形態１では、手さげ鞄の持ち手となる長さとしたが、寸法の長い帯状物を取り付けて、肩掛け用としてもよい。
【００１７】
図２（ａ）に示すように、バッグ１００は、内部に荷物を収納できるよう立体形状となっており、両側面に本体側面部３を有する。本体側面部３は、略縦長の長方形状であって、本体正面部１と同じ素材からなる。本体側面部３は、本体正面部１とは異なる素材を用いて、デザイン性を向上させてもよい。図２（ｂ）に示すように、バッグ１００の底面は、本体底面部４となっている。本体底面部４は、本体正面部１及び本体背面部４と一体的に構成されている。一体的に構成せず、本体正面部１、本体底面部４、本体背面部２それぞれ裁断したものを縫合して袋状物を作成してもよい。
【００１８】
図３に示すように、本考案のバッグ１００は、正面視、略横長の長方形状であって、上方には、持ち手６が取り付けられている。本考案のバッグ１００は、芯材となるＥＶＡ素材シートが裏打ちされており、平らな場所に載置したときも、倒れたりせず、立体形状を保ったままとすることができる。ＥＶＡ樹脂は、エチレン  ビニールアセテート  コポリマーの略称であって、エチレンと酢酸ビニル共重合体させた合成樹脂であり、ＥＶＡ樹脂シート７は、エチレンと酢酸ビニル共重合体させた合成樹脂をシート状にしたものである。ＥＶＡ樹脂は、軽量で柔軟性と弾力性があることが特徴である。ＥＶＡ樹脂は、スリッパの芯材としてよく使われる素材であるが、本考案のバッグ１００は、ＥＶＡ樹脂をバッグの芯材として使用し、軽量かつ立体形状を保持する構造としたものである。
【００１９】
図４に示すように、本体正面部１、本体底面部４、本体側面部３及び本体背面部２とで、一体的に袋状物を構成しているが、外側面は、帆布やフェルト素材等の布地またはナイロン生地からなり、内部に、芯材となるＥＶＡ樹脂シート７が貼られている。ＥＶＡ樹脂シート７の側面であって、外側面と対向する側面である袋状物の内側部分には、裏地５が貼られている。ＥＶＡ樹脂シート７は、外側面に用いられた帆布やナイロン生地等に接着剤その他で貼り付けられている。接着剤を省略して、外側面と裏地５とで、ＥＶＡ樹脂シート７を挟み込んだうえ、一緒に縫製して袋状部を構成してもよい。
【００２０】
図５に示すように、ＥＶＡ樹脂シート７は、本体と裏地５との間にしっかりと挟み込まれているので、本考案のバッグ１００は、床に載置した際も、立体形状を保持することができる。また、ＥＶＡ樹脂シート７は、通気性がよく、軽くて丈夫であるため、ＥＶＡ樹脂シート７を芯材に使った本考案のバッグ１００は、軽くで丈夫、かつ、通気性がよく耐久性がある。
【００２１】
図６に示すように、本考案のバッグ１００は、床に置いて、手を離しても、倒れたりせず、また、外部からの衝撃を緩和することもできるので、鞄の収容物を衝撃から守り保護することができる。長期間使用しても、鞄の型崩れがなく、丈夫で軽く、耐久性のあるバッグを提供できる。本考案の実施の形態１のバッグ１００は、Ｍサイズであるが、バッグ１００は、ＳサイズからＬサイズまで、適時、任意の大きさで実施可能である。
【００２２】
(実施の形態２)
次に、図７から図１０を示しながら、実施の形態２のバッグ２００を説明する。
【００２３】
図７は、この考案の実施の形態２にかかるバッグ２００の斜視図である。図８は、図７に示したバッグ２００の使用方法を説明するための参考斜視図である。図９は、図７に示したバッグ２００の正面図である。図１０（ａ）は、図９に示したバッグ２００のＣ−Ｃ断面図であって、（ｂ）は本体上面部を空けた場合の参考断面図である。
【００２４】
実施の形態２のバッグ２００は、図７に示すように、広い底面の本体底面部４を有し、正面、側面及び背面が一体となって設けられ、本体上面部３が開閉可能となった形状のバッグであり、帽子ケース等に使える、立体形状のバッグ２００である。
【００２５】
本体上面部３には、端縁に沿ってファスナー１０が設けられており、開閉可能となっている。本体側面部３には、持ち手６が設けられている。持ち手６は、本実施の形態２では、布製の帯状物が用いられているが、金属製の持ち手を取り付けてもよいし、肩掛け用に、長めの帯状物やベルトを取り付けてもよい。また、ファスナー１０は、本体上面部３の外周全ても設けて、本体上面部３が着脱可能となるようにしてもよいし、本体上面部３の外周の一部分に設けてもよい。
【００２６】
図８に示すように、ファスナー１０を開けると、本体上面部３が上に開く構造になっている。バッグ２００は、ＥＶＡ樹脂シート７が内設された本体側面部３を備えており、バッグ２００を床面に載置したときも、立体形状が保持され、バッグ２００の中には充分な空間が確保される。ＥＶＡ樹脂シート７は、軽く、丈夫で通気性も良い。バッグ２００は、帽子ケースとして使用して、帽子の型崩れを防ぎつつ、保管または運搬してもよいし、楽器をする収納ケースとして使用してもよい。
【００２７】
図９に示すように、バッグ２００は、正面視、本体正面部１の上方に、本体上面部８が設けられている。本体正面部１は、本体側面部３と一体となっている。本体正面部１、本体上面部８、本体側面部３及び本体底面部４は、全て、外側に布地等のシート状素材が設けられ、内側に裏地が設けられ、外側のシート状素材と内側の裏地との間隙にはＥＶＡ樹脂シート７が内設されている。
【００２８】
図１０（ａ）に示すように、バッグ２００は、ＥＶＡ樹脂シート７を芯材として、外側に布地等のシート状素材、内側に裏地素材が設けられている。ＥＶＡ樹脂シート７は、接着剤等でシート状素材と裏地に貼りつけてもよいし、接着剤等を使用せず、重ねて縫合するのみとしてもよい。図１０（ｂ）に示すように、本体上面部８を開けると、バッグ２００の内側に貼られた裏地５で囲まれた空間が現れ、内部に、帽子等の収容物を収容することができる。本体上面部８が開閉することで、バッグ２００の中に物を収容する際、不必要に押しつぶしたりせず、上から、そっと出し入れすることができる。
【符号の説明】
【００２９】
１００，２００  バッグ
１    本体正面部
１１  タグ
２    本体背面部
３    本体側面部
４    本体底面部
５    裏地
６    持ち手
７    ＥＶＡ樹脂シート
８    本体上面部
９    本体底面部
１０  ファスナー
Ｈ    手
【図１】
0003209745.tif 000003
【図２】
0003209745.tif 000004
【図３】
0003209745.tif 000005
【図４】
0003209745.tif 000006
【図５】
0003209745.tif 000007
【図６】
0003209745.tif 000008
【図７】
0003209745.tif 000009
【図８】
0003209745.tif 000010
【図９】
0003209745.tif 000011
【図１０】
0003209745.tif 000012